(57)【要約】      （修正有）【課題】保護動物であるイタチを追い出して家屋の中に入らないようにするためのイタチの出入口及び通路の発見装置を提供する。【解決方法】イタチの好む餌２をテグスに結びつけ、そのテグスは２本として、各個２０〜３０ｍとして餌より５〜７ｍまでのテグスはそのままとし、餌より５〜７ｍのところに附箋３、又は小さい花リボンをつけ、更に５ｍごとに２〜３ケの附箋、又は小さい花リボンをつけ、テグスの５〜７ｍのところよりあとのテグス、及び附箋、又は小さい花リボンには夜光塗料を塗布して、暗いところでもみえるようにする。そのテグスを巻いて箱６の中に納めておき、そのテグスの巻き棒７を箱より下へ出して、地面に固定させて一体化する。暗いところでもテグスと附箋（花リボン）をたどることができ、イタチの出入口、及び通路を容易に発見できる。【選択図】図３
0003187272.tif 000002
【実用新案登録請求の範囲】
【請求項１】
イタチの好む餌に細いテグスを結び、そのテグスは２本とし、各個２０〜３０ｍとする。餌より５〜７ｍまでのテグスはそのままとし、５〜７ｍのところに附箋（又は小さい花リボン）をつける。更に５ｍごとに２〜３ケの附箋（又は小さい花リボン）をつける。テグスの５〜７ｍのところよりあとのテグス及附箋（又は小さい花リボン）には夜光塗料を塗布して、暗いところでもみえるようにして、テグスをまいて箱の中に納めておく。そのテグスの巻き棒を箱より下へ出して地面に固定させて一体化したイタチの出入口、及び通路の発見装置。
【考案の詳細な説明】
【技術分野】
【０００１】本考案はイタチが家屋などの建物に出入りする穴や通路の位置の発見に関するものである。
【背景技術】
【０００２】箱の中にイタチが好む餌を入れ、イタチがその餌を取りに入ってきたら、入り口を閉じて捕獲する箱や、イタチが嫌う音やにおいを出して家屋の外へ追い出す装置や入り込まないようにネットで防禦する装置は存在するが、イタチが家屋などへ出入する穴や通路をみつける装置  として  は存在しない。現状では屋根裏へもぐり込み、外の光がさし込む隙間や穴を人間の目でみつけている。しかし、実際にはプレハブの屋根裏などは狭く、人間の体は入らない寸法である。またイタチは床下やエアコンの配管や、屋根などからも出入をするためにその出入口を特定しにくく、見つけるのは困難を極める。
【先行技術文献】
【０００３】▲１▼箱の中へイタチが好む餌、たとえば生きたスズメの子、ヒヨコやトンカツ、鶏肉などを入れておき、イタチが箱の中へ餌を取りに入ってきたら入り口を閉じて捕獲する装置。
▲２▼イタチが嫌うにおい、たとえば商品名「タンスにゴンゴン」（大日本除虫菊ｋｋ，防虫成分エムペシトリン、蒸散性ピレスロイド）をまいたりして家屋の外へ追い出す薬品。
▲３▼粘着材の紙状の商品、実際に使用してみたがイタチにはあまり効果がない。
▲４▼嫌がる音の器具、
▲５▼家屋などの建物に入り込まないように出入しているだろうという穴や通路に金網やネットや粘土、木材やセメントなどで閉じる、これは人間の手で作業をする。
いずれにしてもイタチの出入口、及び通路の発見装置は存在しない。
【考案の概要】
【０００４】イタチが家屋などの建物の中に出入する穴や通路を発見するために、イタチの好物の食べ物の餌を細くて目にみえにくいテグスに結びつけて、その餌より５〜７ｍの距離のテグスの位置に小さな軽い附箋（又は軽くて小さい花リボン）を一定間隔に数個取り付ける。そして、そのテグス及び附箋（花リボン）に夜光塗料を塗布する。
夜光塗料を塗ったテグス及び附箋（花リボン）はイタチにみえないように箱の中に入れて置き、テグスをまいた芯棒を地面下にうちつけてることにより固定さす。
イタチが餌を運んだら箱の中に入っている夜光塗料を塗布したテグス及び附箋（花リボン）が出てゆく。それをたどっていき、穴、及び通路を捜し出す装置。
【考案が解決しようとする課題】
【０００５】近年、家の中にイタチが入ってきて、大きな音を立てて動きまわり、安眠や日々の生活の妨げとなっている。イタチはカエル、ヘビ、ネズミなどの小動物を持ち込み、糞尿をして、天井などに大きなシミをつくり、黴菌を繁殖さす。イタチは保護動物のために殺すことは禁じられているために捕獲したら、保険所に連絡したり、運んだりしなければならないという面倒な作業がいる。出入口がわかりさえすれば、イタチが嫌がる強力なにおいの薬品（公序良俗違反につき、不掲載）や香料をまき、追い出してから、粘土やネットなどで出入口を防ぐ対策ができる。そのためにもイタチの出入口の穴や通路をみつけることが大切となる、しかし、その出入口は小さく、捜すのは専門家でも何日もかかるむずかしい仕事と作業である。現状では、人間が屋根裏へもぐり込み、外の光が差し込む隙間や穴を見つけている。しかし、実際にはプレハブ建築などの屋根裏などは狭く、人間の体は入らない寸法であり遠くからながめるしか方法はない。またイタチは、床下や、エアコンの配管、屋根瓦や板金などの隙間などからも出入りするためにその出入口を特定しにくく見つけ出すのは困難を極める。
【課題を解決するための手段】
【０００６】イタチが好む餌、たとえば径３０ｍｍ以下小さな骨付き鶏肉（手羽先）やトンカツなどを用意して目にみえなくて細くて、強いテグス（１０号太さ０，５ｍｍ〜３０号太さ０，９１ｍｍ）で結び、そのテグスの長さは２０〜３０ｍとして２本を用意して餌と結ぶ。餌より５ｍ〜７ｍのテグスはそのままとして、５〜７ｍの位置に附箋（小さな花リボン）を５ｍごとに数個つける、テグスの５〜７ｍあとの附箋（小さな花リボン）とテグスに夜光塗料を塗る。それを２本テグスにして二方向に設置する。テグスを２本にすることにより、１本のテグスが切れてもあとの１本でカバーする。附箋（小さな花リボン）は狭い穴に入る時にまわりの壁などに夜光塗料が付く役割とテグスよりも大きいので発見し易い役割をもつ。テグスの糸まき芯棒を箱の中に入れ地面下にうちつけて固定さすことを可能にした装置。設置する時の注意事項として▲１▼作業をする時に人間のニオイを付けないように手袋を着用して注意をする必要がある▲２▼夜光塗料は暗いところでも光ってみえる材料を使用する、市販している、たとえば（公序良俗違反につき、不掲載）合成樹脂塗料  成分＝合成樹脂、顔料、有機溶剤（アクリル入り）などを使用する。
【考案の効果】
【０００７】イタチが餌である食物を運んでくれたら、テグスと附箋（小さな花リボン）をたどってゆく、テグスと附箋（小さな花リボン）にはある距離から夜光塗料を塗ってあるために床下や屋根裏などの暗い場所でも光ってみえるために出入口や通路などの位置を見つけ出すことができる。また、外部からも夜間に捜すことにより、容易に見つけることができる。狭い屋根裏や床下に体をはわせて、もぐらずに床下や天井の点検口に頭を入れてのぞくだけで方位と位置を発見することが可能になる。
また、テグスを２本にすることにより、１本の糸が切れても残りのもう１本のテグスでカバーすることができる、イタチの出入口、及び通路発見装置。
【考案を実施するための最良の方法】
【０００８】▲１▼家屋などの建物の庭にイタチの好物の食べ物を置き、テグスの先端で結びつける。
▲２▼その食べ物に２本のテグスを別の方向に置いてテグスのまき棒とそれを入れる箱を地面に固定する。
▲３▼イタチが出入しそうな建物の東西南北の一番近い地面にセットする。
▲４▼人間の臭いがつかないように手袋をつけて慎重に注意して作業をする。
【産業上の利用可能性】
【０００９】近年、住宅の開発により、イタチの行動範囲は人間の住居とラップするようになってきた。イタチは径３０〜４０ｍｍ前後の穴ぐらいなら出入りすることができる。
住宅などの建物にはそのような穴はたくさんある。その出入りする穴を簡単にみつけて、イタチを殺すことなく、追い出し、二度と入らなくなるようにすることができれば、たくさんの手間や労力をかけることなく、イタチが入るのを防禦でき、イタチと共存しながらストレスのない、健全で快適な生活を送ることができる。
【図面の簡単な説明】
【００１０】
【図１】正面図  右、左、
【図２】側面図  右、左、
【図３】上からの図
【図４】家屋のまわりに置いた図
【図５】テグスの形状  右、左、
【符号の説明】
【００１１】▲１▼  テグス（１０号〜３０号）
▲２▼  餌になる食物（手羽先の鶏肉、トンカツ）
▲３▼  夜光塗料を塗った附箋（又は軽い花リボン）
▲４▼  夜光塗料を塗ったテグス
▲５▼  夜光塗料を塗っていないテグス
▲６▼  箱
▲７▼  テグスをまいた芯棒（テグスまき棒）
▲８▼  地面、ＧＬ
▲９▼  芯棒の先端
▲１０▼  穴
【図１】
0003187272.tif 000003
【図２】
0003187272.tif 000004
【図３】
0003187272.tif 000005
【図４】
0003187272.tif 000006
【図５】
0003187272.tif 000007
【手続補正書】
【提出日】平成25年9月4日(2013.9.4)
【手続補正１】
【補正対象書類名】実用新案登録請求の範囲
【補正対象項目名】全文
【補正方法】変更
【補正の内容】
【実用新案登録請求の範囲】
【請求項１】
イタチの好む餌にテグスを結びつけ、そのテグスは２本として、各個２０〜３０ｍとして、
▲１▼  餌より５〜７ｍまでのテグスはそのままとする、
▲２▼  餌より５〜７ｍのところに附箋、又は小さい花リボンをつける、
▲３▼  更に５ｍごとに２〜３ケの附箋、又は小さい花リボンをつける、
▲４▼  テグスの５〜７ｍのところよりあとのテグス、及び附箋、又は小さい花リボンには夜光塗料を塗布して、暗いところでもみえるようにする、
▲５▼  そのテグスを巻いて箱の中に納めておき、そのテグスの巻き棒を箱より下へ出して、地面に固定させて一体化をする、
以上の構成からなることを特徴とするイタチの出入口、及び通路の発見装置。
【手続補正２】
【補正対象書類名】明細書
【補正対象項目名】０００５
【補正方法】変更
【補正の内容】
【０００５】近年、家の中にイタチが入ってきて、大きな音を立てて動きまわり、安眠や日々の生活の妨げとなっている、イタチはカエル、ヘビ、ネズミなどの小動物を持ち込み、糞尿をして、天井などに大きなシミをつくり、黴菌を繁殖さす、イタチは保護動物のために殺すことは禁じられているために保護したら、保険所に連絡したり、運んだりしなければならないという面倒な作業がいる、出入口がわかりさえすれば、イタチが嫌がる強力なにおいの薬品や香料をまき、追い出してから、粘土やネットなどで出入口を防ぐ対策ができる、そのためにもイタチの出入口の穴や通路をみつけることが大切となる、しかしその出入口は小さく、捜すのは専門家でも何日もかかるむずかしい仕事と作業である、現状では、人間が屋根裏へもぐり込み、外の光が差し込む隙間や穴を見つけている、しかし、実際にはプレハブ建築などの屋根裏などは狭く、人間の体は入らない寸法であり遠くからながめるしか方法はない、またイタチは、床下や、エアコンの配管、屋根瓦や板金などの隙間などからも出入りするためにその出入口を特定しにくく見つけ出すのは困難を極める。
【手続補正３】
【補正対象書類名】明細書
【補正対象項目名】０００６
【補正方法】変更
【補正の内容】
【０００６】イタチが好む餌、たとえば径３０ｍｍ以下小さな骨付き鶏肉（手羽先）やトンカツなどを用意して目にみえなくて細くて、強いテグス（１０号太さ０，５ｍｍ〜３０号太さ０，９１ｍｍ）で結び、そのテグスの長さは２０〜３０ｍとして２本を用意して餌と結ぶ、餌より５〜７ｍのテグスはそのままとして、５〜７ｍの位置に附箋、又は小さな花リボンを５ｍごとに数個つける、テグスの５〜７ｍあとの附箋、又は小さな花リボンとテグスに夜光塗料を塗る、それを２本テグスにして二方向に設置する、テグスを２本にすることにより、１本のテグスが切れてもあとの１本でカバーする、附箋、又は小さな花リボンは狭い穴に入る時にまわりの壁などに夜光塗料が付く役割とテグスよりも大きいので発見し易い役割をもつ、テグスの糸まき芯棒を箱の中に入れ地面下にうちつけて固定さすことを可能にした装置。
設置する時の注意事項として
▲１▼  作業をする時に人間のニオイを付けないように手袋を着用して注意をする必要がある。
▲２▼  夜光塗料は暗いところでも光ってみえる材料を使用する、たとえば合成樹脂塗料で成分は、合成樹脂、顔料、アクリル入りの有機溶剤などを使用する。